(57)【要約】本体部と、巻線と、本体部の両端に近接した第１の可動部及び第２の可動部とを有する調整可能なスパンを有する電気ハウジング装置に関する。本体部に駆動装置が設けられ、本体部の底面には、長手方向に沿って摺動する２本の平行なスライドレールが設けられ、それぞれ第１可動部および第２可動部に向かって延び、対応する可動部の底部に固定される。本体部及び第１可動部並びに本体部及び第２可動部には、２つのスライドレールに対応する貫通溝が設けられ、各貫通溝は、対応するスライドレールの外側に位置し、各スライドレールに中央走行プーリが摺動自在に設けられ、各中央走行プーリの頂部が対応する貫通溝から延びる。巻線は、駆動装置、本体部、第１の可動部及び第２の可動部の周りを１周、駆動装置の回りを数周回る。中央走行プーリの頂部は、巻線に対して固定されている。この装置はスパンに関して調整可能で、広く適用可能で軽量である。【代表図】図１
2019505259.tif 000002
【特許請求の範囲】
【請求項１】
本体部と、巻線と、本体部の両端に近接した第１の可動部及び第２の可動部とを備えたスパン調整可能な電気ハウジング装置であって、
前記本体部には駆動装置が設けられ、
前記本体部の底面には、前記本体部の長手方向に沿って摺動する２本の平行なスライドレールが設けられており、前記２本のスライドレールは、それぞれ第１可動部および第２可動部に向かって延び、対応する可動部の底部に固定され、
前記本体部及び前記第１の可動部と、前記本体部及び前記第２の可動部には、それぞれ前記２本のスライドレールに対応する貫通溝が設けられ、各前記貫通溝は、前記スライドレールの外側に位置し、
各前記スライドレールには中央走行プーリが摺動自在に設けられ、各前記中央走行プーリの頂部は対応する前記貫通溝から延出し、
前記中央走行プーリがスライドレール上を摺動するとき、前記中央走行プーリの頂部は、前記貫通溝に沿って動き、
前記巻線は、前記駆動装置、前記本体部、前記第１の可動部及び前記第２の可動部の周りを一周するように巻回し、前記駆動装置の周りを複数回周回し、
中央走行プーリの頂部が巻線に対して固定されている、スパン調整可能な電気ハウジング装置。
【請求項２】
前記本体部には、前記駆動装置の両側に斜めに位置し配置された第１位置決め片及び第２位置決め片がそれぞれ設けられ、
前記第１の可動部および前記第２の可動部には、前記第１の位置決め片および前記第２の位置決め片に対応する第３の位置決め片および第４の位置決め片がそれぞれ設けられ、
前記第３位置決め片及び前記第４位置決め片は、前記第１可動部の外端及び前記第２可動部の外端にそれぞれ近接しており、
前記巻線が、前記駆動装置、前記第２位置決め片、前記第３位置決め片、前記第１位置決め片及び前記第４位置決め片の周りを１周して巻回している、
請求項１に記載のスパン調整可能な電気ハウジング装置。
【請求項３】
前記本体部が前記第１の可動部および前記第２の可動部にそれぞれ近接する位置にプーリ構造が設けられ、
前記巻線が、前記駆動装置、前記第２位置決め片、前記第３位置決め片、本体部及び第１の可動部の前記プーリ構造、前記第１位置決め片、前記第４位置決め片、本体部及び第２の可動部の前記プーリ構造の回りを１周して巻回し、
２つの前記プーリ構造を１周半周回している、
請求項２に記載のスパン調整可能な電気ハウジング装置。
【請求項４】
各プーリ構造は、フレームラックと、可動プーリと、固定プーリとを備え、
前記フレームラックは、スライドフレームと、前記スライドフレームに接続された固定フレームとを備え、
前記スライドフレームは本体部の前記摺動溝に摺動自在に連結され、前記固定プーリは前記スライドフレームの一端の内側に固定され、
前記固定フレームは対応する可動部に固定され、前記可動プーリは前記固定フレームの端部の内側に移動可能に配置され、前記固定プーリの方向に沿って摺動することができ、
前記可動プーリと前記固定プーリとを巻線が１周半巻回する、
請求項３に記載のスパン調整可能な電気ハウジング装置。
【請求項５】
前記スライドフレームを支持するために、前記スライドフレームに対応する支持構造が前記摺動溝の内側に設けられている、請求項４に記載のスパン調整可能な電気ハウジング装置。
【請求項６】
前記支持構造は、前記スライドフレームの２つのフレーム壁をそれぞれ支持するための２つの支持部品を含む、請求項５に記載のスパン調整可能な電気ハウジング装置。
【請求項７】
サスペンションプレートが、前記支持構造体から前記固定フレームに向かって延び、前記固定フレームに受け入れられている、請求項５に記載のスパン調整可能な電気ハウジング装置。
【請求項８】
前記本体部および前記第１の可動部の前記貫通溝は、前記第２の位置決め片と前記第３の位置決め片との間にあり、その両端がそれぞれ前記第２の位置決め片と前記第３位置決め片に近接し、
本体部及び第２可動部の貫通溝が第１位置決め片と第４位置決め片の間にあり、その両端がそれぞれ第１位置決め片及び第４位置決め片に近接している、
請求項２に記載のスパン調整可能な電気ハウジング装置。
【請求項９】
前記本体部と前記第１の可動部の貫通溝、および前記本体部と前記第２の可動部の貫通溝に複数の位置決め用フレーム体をそれぞれ設け、
前記巻線が前記位置決め用フレーム体を通過し、
前記中央走行プーリが前記スライドレール上を摺動するとき、前記中央走行プーリの頂部は、複数の対応する前記位置決め用フレーム体の内部を移動することができる、
請求項８に記載のスパン調整可能な電気ハウジング装置。
【請求項１０】
前記位置決め用フレーム体がＵ字形である、請求項９に記載のスパン調整可能な電気ハウジング装置。
【請求項１１】
前記巻線は、
前記駆動装置、前記第２の位置決め片、前記本体部および前記第１の可動部の複数の位置決め用フレーム体、前記第３の位置決め片、本体部と第１の可動部の前記プーリ構造、前記第１の位置決め片、前記本体部および前記第２の可動部の複数の位置決め用フレーム体、前記第４の位置決め片、および本体部と第２の可動部の前記プーリ構造を１周巻回する、
請求項１０に記載のスパン調整可能な電気ハウジング装置。
【請求項１２】
前記駆動装置は、ギアボックスと、前記ギアボックスに接続されたモータと、前記モータに接続されたローラとを備え、
前記巻線は、前記ローラを複数周周回し、
前記ギアボックスは前記モータの回転方向を制御するために使用され、
前記モータはローラの回転方向を制御するために使用され、
前記ローラは前記巻線を駆動させるために使用される、
請求項１に記載のスパン調整可能な電気ハウジング装置。
【請求項１３】
前記ギアボックスは、回路基板を備え、前記回路基板は、マイクロプロセッサと、前記マイクロプロセッサに接続された動作制御センサとを備え、前記動作制御センサは、リモートコントローラに接続される、
請求項１２に記載のスパン調整可能な電気ハウジング装置。
【請求項１４】
前記本体部は、中間部と、前記中間部の両端に形成された側部とを有し、
前記駆動装置は、前記中間部の中央位置に装着され、
前記第１の可動部および前記第２の可動部は、それぞれ対応する前記側部の外端に近接しており、
前記第１位置決め片及び前記第２位置決め片は、前記中間部の２つの対向する角度に設けられている、
請求項４に記載のスパン調整可能な電気ハウジング装置。
【請求項１５】
前記対応する摺動溝は、前記２つの側部にそれぞれ配置されている、
請求項１４に記載のスパン調整可能な電気ハウジング装置。
【請求項１６】
前記本体部および前記第１の可動部の前記プーリ構造と、前記本体部および前記第２の可動部の前記プーリ構造とは、
対応する前記スライドレールの内面側にそれぞれ配置されている、
請求項３に記載のスパン調整可能な電気ハウジング装置。
【発明の詳細な説明】
【技術分野】
【０００１】
本発明は、電気ハウジング装置に関し、特に、調整可能なスパンを有する電気ハウジング装置に関する。
【背景技術】
【０００２】
電気ハウジング装置は、通常、カーテンを設置するため、またはスクリーンを垂らすために使用され、主に窓、天窓、通路、入口または一定の空間に適用され、隔離または遮蔽の役割を果たす。一般に、カーテンはリモコンによって引かれて開閉される。開閉が便利で速く、カーテンの損傷を受けないので、電気ハウジング装置は人々によって好まれている。既存の電気ハウジング装置のスパンは固定されており、調整可能ではなく、窓または天窓の幅と一致するので、電気ハウジング装置の製造時に、窓または天窓の幅を事前に測定しなければならず、コストが上がり使用範囲を制限する。さらに、既存の電気ハウジング装置のモータは、一般に装置の一端に設置され、装置の一端から装置を駆動する。このモータは、一般に、体積が大きく、大きなスペースを占有し、使用上不都合が生じ得る。
【発明の概要】
【発明が解決しようとする課題】
【０００３】
本発明の目的は、従来技術の欠点を克服し、スパンに関して調整可能で、幅広く適用可能で軽量で使用に便利な電気ハウジング装置を提供することである。
【課題を解決するための手段】
【０００４】
本発明は、本体部と、巻線と、本体部の両端に近接した第１の可動部及び第２の可動部とを備えたスパン調整可能な電気ハウジング装置であって、本体部には駆動装置が設けられ、本体部の底面には、本体部の長手方向に沿って摺動する２本の平行なスライドレールが設けられており、２本のスライドレールは、それぞれ第１可動部および第２可動部に向かって延び、対応する可動部の底部に固定され、本体部及び第１の可動部と、本体部及び第２の可動部には、それぞれ２本のスライドレールに対応する貫通溝が設けられ、各貫通溝は、スライドレールの外側に位置し、各スライドレールには中央走行プーリが摺動自在に設けられ、各中央走行プーリの頂部は対応する貫通溝から延出し、中央走行プーリがスライドレール上を摺動するとき、中央走行プーリの頂部は、貫通溝に沿って動き、巻線は、駆動装置、本体部、第１の可動部及び第２の可動部の周りを一周するように巻回し、駆動装置の周りを複数回周回し、中央走行プーリの頂部が巻線に対して固定されている。
【０００５】
また、本体部には、駆動装置の両側に斜めに位置し配置された第１位置決め片及び第２位置決め片がそれぞれ設けられ、第１の可動部および第２の可動部には、第１の位置決め片および第２の位置決め片に対応する第３の位置決め片および第４の位置決め片がそれぞれ設けられ、第３位置決め片及び第４位置決め片は、第１可動部の外端及び第２可動部の外端にそれぞれ近接しており、巻線が、駆動装置、第２位置決め片、第３位置決め片、第１位置決め片及び第４位置決め片の周りを１周して巻回している。
【０００６】
また、本体部が第１の可動部および第２の可動部にそれぞれ近接する位置にプーリ構造が設けられ、巻線が、駆動装置、第２位置決め片、第３位置決め片、本体部及び第１の可動部のプーリ構造、第１位置決め片、第４位置決め片、本体部及び第２の可動部のプーリ構造の回りを１周して巻回し、２つのプーリ構造を１周半周回している、
【０００７】
また、各プーリ構造は、フレームラックと、可動プーリと、固定プーリとを備え、フレームラックは、スライドフレームと、前記スライドフレームに接続された固定フレームとを備え、スライドフレームは本体部の摺動溝に摺動自在に連結され、固定プーリはスライドフレームの一端の内側に固定され、
固定フレームは対応する可動部に固定され、可動プーリは前記固定フレームの端部の内側に移動可能に配置され、固定プーリの方向に沿って摺動することができ、可動プーリと固定プーリとを巻線が１周半巻回する。
【０００８】
また、スライドフレームを支持するために、スライドフレームに対応する支持構造が摺動溝の内側に設けられている。
【０００９】
さらに、支持構造は、スライドフレームの２つのフレーム壁をそれぞれ支持するための２つの支持部品を含む。
【００１０】
さらに、サスペンションプレートが、支持構造体から固定フレームに向かって延び、固定フレームに受け入れられている。
【００１１】
また、本体部および第１の可動部の貫通溝は、第２の位置決め片と第３の位置決め片との間にあり、その両端がそれぞれ第２の位置決め片と第３位置決め片に近接し、本体部及び第２可動部の貫通溝が第１位置決め片と第４位置決め片の間にあり、その両端がそれぞれ第１位置決め片及び第４位置決め片に近接している。
【００１２】
また、本体部と第１の可動部の貫通溝、および本体部と第２の可動部の貫通溝に複数の位置決め用フレーム体をそれぞれ設け、巻線が位置決め用フレーム体を通過し、中央走行プーリがスライドレール上を摺動するとき、中央走行プーリの頂部は、複数の対応する位置決め用フレーム体の内部を移動することができる。
【００１３】
さらに、位置決め用フレーム体はＵ字型である。
【００１４】
また、巻線は、駆動装置、第２の位置決め片、本体部および第１の可動部の複数の位置決め用フレーム体、第３の位置決め片、本体部と第１の可動部のプーリ構造、第１の位置決め片、本体部および第２の可動部の複数の位置決め用フレーム体、第４の位置決め片、および本体部と第２の可動部のプーリ構造を１周する。
【００１５】
さらに、駆動装置は、ギアボックスと、ギアボックスに接続されたモータと、モータに接続されたローラとを備え、巻線は、ローラを複数周周回し、ギアボックスはモータの回転方向を制御するために使用され、モータはローラの回転方向を制御するために使用され、ローラは巻線を駆動させるために使用される。
【００１６】
さらに、ギアボックスは、回路基板を備え、回路基板は、マイクロプロセッサと、マイクロプロセッサに接続された動作制御センサとを備え、動作制御センサは、リモートコントローラに接続される。
【００１７】
また、本体部は、中間部と、中間部の両端に形成された側部とを有し、駆動装置は、中間部の中央位置に装着され、第１の可動部および第２の可動部は、それぞれ対応する側部の外端に近接しており、第１位置決め片及び第２位置決め片は、中間部の２つの対向する角度に設けられている。
【００１８】
また、対応する摺動溝は、２つの側部にそれぞれ配置されている。
【００１９】
また、本体部および第１の可動部のプーリ構造と、本体部および第２の可動部のプーリ構造とは、対応するスライドレールの内面側にそれぞれ配置されている。
【００２０】
従来技術と比較して、本発明は以下の有益な効果を有する。本発明に係る電気ハウジング装置の第１の可動部及び第２の可動部は、本体部の両側から２つのスライドレールに沿って引き離されてもよい。そのため、この装置のスパンは調整可能である。本発明は、投影スクリーンまたは広告バナーのようなカーテンまたは表示装置を設置するために使用され、様々に使用され、それにより使用コストが低減される。カーテンの設置に使用される場合、窓、天窓、入り口、廊下またはゾーンに様々な幅で適用され、隔離または遮蔽の役割を果たすことができる。そして、表示装置の設置に使用される場合、様々な幅のプレイルームや展示室に適用され、動的または静的なパターンを表示する役割を果たす。さらに、駆動装置が本体部に設置され、小さな空間を占めるので、この装置はより軽く、より便利に使用することができる。
【図面の簡単な説明】
【００２１】
【図１】本発明の一実施形態に設けられた調整可能なスパンを有する電気ハウジング装置の分解図である。
【図２】図１の電気ハウジング装置の底面の概略平面図である。
【図３】図１の電気ハウジング装置の第１可動部と第２可動部とを外方に引き離して最大スパンを形成した構造模式図である。
【発明を実施するための形態】
【００２２】
以下、本発明を添付の図面及び実施例を参照して更に説明する。
【００２３】
図１及び２に示すように、本発明は調整可能なスパンを有する電気ハウジング装置を提供し、本体部１と、巻線３と、本体部１の両端に近接した第１の可動部２ａ及び第２の可動部２ｂとを備え、第１可動部２ａは本体部１の左側に位置し、第２可動部２ｂは本体部１の右側に位置する。
【００２４】
本体部１には、駆動装置４が設けられており、本体部１の底面には、本体部１の長手方向に沿ってスライドする２本の平行なスライドレール６が設けられている。２本のスライドレール６は、第１の可動部２ａと第２の可動部２ｂに延長し、対応する可動部の底面に各々固定されている。具体的には、各スライドレール６は、スライド端部６ａと固定端部６ｂとを有する。スライド端部６ａは本体部１の底部に摺動可能に接続され、固定端部６ｂの頂部は対応する可動部に固定されている。第１の可動部２ａは、対応するスライドレール６の作用により、本体部１の左側から所定の距離だけ引き離すことができ、第２の移動部２ｂは、対応するスライドレール６の作用下で、本体部１の右側から一定の距離だけ引き離すことができる。本体部１と第１の可動部２ａ、および本体部１と第２の可動部２ｂには、それぞれ２つのスライドレール６に対応して貫通溝１０が設けられており、各貫通溝１０は対応するスライドレール６の外側に位置している。各スライドレール６には、中央走行プーリ７が摺動可能に設けられ、各中央走行プーリ７の頂部は、対応する貫通溝１０から外向きに延びている。そして中央走行プーリ７がスライドレール６上を摺動すると、中央走行プーリ７の頂部が貫通溝１０に沿って移動する。巻線３は、駆動装置４、本体部１、第１移動部２ａ、第２移動部２ｂを１周して回転し、駆動装置４のまわりを複数周回する。中央走行プーリ７の頂部は、巻線３に固定されている。駆動装置４は、巻線３を移動させるためのものである。駆動装置４が巻線３を本体部１の左側または本体部１の右側に移動させると、巻線３は２つの中央走行プーリ７を互いに向かって摺動させるか、互いに離れて摺動させる。図２に示すように、本実施形態では、他方のスライドレール６に隣接する側を内側とし、他方のスライドレール６を外側とする。スライドレール６に隣接する貫通溝１０の側を貫通溝の内側とし、貫通溝１０の他方の側を外側とする。第１可動部２ａと第２可動部２ｂの本体部１の両端に近い端部をそれぞれ内側端部とし、本体部１の両端部から遠い端部外端と定義する。
【００２５】
この構造設計により、第１の可動部２ａと第２の可動部２ｂとを本体部１の両側から２つのスライドレール６に沿って外方に引き出すことができ、図３に示すように、第１の可動部２ａの内端と第２の可動部２ｂの内端とを本体部１の両端から離間させることになり、したがってこの電気ハウジング装置のスパンを増加させて、異なる幅を有する複数の機会に適応させ、広い範囲の使用を実現し、人々の使用を可能にする。巻線３は、第１の可動部２ａと第２の可動部２ｂとが外方に引き離されたときに十分な長さを有するように、駆動装置４の周りに数サイクル巻き付く。駆動装置４は、本体部１に取り付けられている。従来の設計と比較して、駆動装置４はより小さい空間を占有し、装置全体の重量を軽減する。
【００２６】
本実施形態では、本体部１には、駆動装置４の左右斜め位置に各々配置された第１位置決め片１４および第２位置決め片１５がそれぞれ設けられている。第１位置決め片１４と第１の可動部２ａは同じ側にあり、第２位置決め片１５と第２の可動部２ｂは同じ側にある。第１可動部２ａおよび第２可動部２ｂには、それぞれ、第２位置決め片１５および第１位置決め片１４に対応する第３位置決め片１６および第４位置決め片１７が設けられている。第３の位置決め片１６および第４の位置決め片１７は、第１の可動部２ａの外端および第２の可動部２ｂの外端にそれぞれ近接している。２つの貫通溝１０は、第１位置決め片１４と第４位置決め片１７との間、第２位置決め片１５と第３位置決め片１６との間にそれぞれ位置する。巻線３は、駆動装置４、第２位置決め片１５、第３位置決め片１６、第１位置決め片１４および第４位置決め片１７を１周して回転し、巻線３の軌道が位置決めされる。
【００２７】
図３に示すように、第１位置決め片１４および第２位置決め片１５は、同一構造の部品である。このような構成部品は、本体部１に配置された下部パネル１４ａと、下部パネル１４ａに配置された環状部品（図示せず）と、環状部品上に配置された上部パネル１４ｂとを備えている。上部パネル１４ｂ及び下部パネル１４ａは、留め具を介して本体部１に取り付けられている。巻線３は環状部品の周りを巻回する。第３位置決め片１６および第４位置決め片１７は、同一構造の部品である。このような部品は、環状部品１７ａと、環状部品１７ａの頂部に形成されたパネル１７ｂとを含む。パネル１７ｂは、締結具を介して対応する側の可動部分に取り付けられている。巻線３は、環状部品１７ａの周りを巻回する。環状部品と環状部品１７ａとは同一構造の部品であり、それらの中心間の接続線は貫通溝１０と平行である。このようにして、巻線３は中央走行プーリ７を滑らかに摺動させることができ、摺動トラックは貫通溝１０と平行になる。
【００２８】
本実施形態では、駆動装置４は、ギアボックス１１と、ギアボックス１１に接続されたモータ（図示せず）と、モータ５に接続されたローラとを備えている。ギアボックス１１は、モータの回転方向を制御するものであり、モータは、ローラ５の回転方向を制御するものである。回転方向は、時計回りと反時計回りである。ローラ５は、巻線３を移動させるためのものである。モータがローラ５を反時計回りに回転させると、巻線３は本体部１の右側に移動し、２つの中央走行プーリ７を互いに向かって移動させる。モータがローラ５を時計回りに回転させると、巻線３は本体部１の左側に移動し、２つの中央走行プーリ７を互いに離れるように移動させる。
【００２９】
ギアボックス１１は、回路基板を備え、回路基板は、マイクロプロセッサと、マイクロプロセッサに接続された動作制御センサとを含み、動作制御センサは、遠隔コントローラに接続される。動作制御センサは、リモートコントローラからＯＮ／ＯＦＦ命令を受け取り、この命令をマイクロプロセッサに送信するために使用される。マイクロプロセッサは、このＯＮ／ＯＦＦ制御指令を受けてモータの回転方向を制御するため、ローラ５の回転方向を制御して、巻線３の回転方向を制御し、２つの中央走行プーリ７の回転方向を制御する。
【００３０】
本体部１が第１の可動部２ａおよび第２の可動部２ｂにそれぞれ近接する位置には、プーリ構造８が設けられている。本体部１及び第１可動部２ａのプーリ構造８と、本体部１及び第２可動部２ｂのプーリ構造８とは、対応するスライドレール６の内側にそれぞれ位置している。プーリ構造８の中心は、本体部１の中心とほぼ面一である。巻線３は、駆動装置４、第２位置決め片１５、第３位置決め片１６、本体部１及び第１移動部２ａのプーリ構造８、第１位置決め片１４、第４位置決め片、本体部１及び第２移動部２ｂのプーリ構造８を一周して巻回し、本体部１のプーリ構造８及び第１の可動部２ａと、本体部１及び第２の可動部２ｂのプーリ構造８をそれぞれ１．５周する。
【００３１】
図３に示すように、プーリ構造８は、矩形状のフレームラック１８と、可動プーリ１９と、固定プーリ２０とを備えている。フレームラック１８は、スライドフレーム２２と、スライドフレーム２２に連結された固定フレーム２１とを備えている。スライドフレーム２２と固定フレーム２１とは一体的に形成されている。スライドフレーム２２と固定フレーム２１は同一のＵ字状の構造である。スライドフレーム２２は、本体部１の摺動溝２３に摺動可能に接続されており、固定プーリ２０は、スライドフレーム２２の端部に固定されている。固定フレーム２１は、対応するサブパーツに固定されている。可動プーリ１９は、固定フレーム２１の端部の内側に移動可能に配置され、固定プーリ２０の方向に沿って摺動することができる。巻線３は、可動プーリ１９および固定プーリ２０の周りを１．５周するように巻回されている。第１の可動部２ａと第２の可動部２ｂとを外方に引き離すと、引っ張りの作用により、巻線３は、可動プーリ１９を固定プーリ２０の方向に沿って摺動させ、最終的には固定プーリ２０に近接することにより、駆動時に駆動装置５周囲の巻線３の長さ及び巻線３の巻数を増加させ、中央走行プーリ７を駆動してより長い距離をスライドさせる。
【００３２】
本実施形態では、スライドフレーム２２を支持する摺動溝２３の内側には、スライドフレーム２２に対応する支持構造が設けられている。サスペンションプレート２５は、支持構造から固定フレーム２１に向かって延び、固定フレーム２１に収容されている。第１可動部２ａと第２可動部２ｂとが外方に引き出されると、スライドフレーム２２が摺動溝２３から滑り落ちてサスペンションプレート２５上に沈み、プーリ構造８を本体部１から離間させる。サスペンションプレート２５は、スライドフレーム２２を支える役割を果たす。さらに、第１の可動部２ａと第２の可動部２ｂとを離間させて閉じる際に、サスペンションプレート２５もスライドフレーム２２の案内役を果たす。
【００３３】
本実施形態では、支持構造体は、スライドフレーム２２の２つのフレーム壁をそれぞれ支持すると共に斜面を有する２つの支持構成要素２４を備える。
【００３４】
本体部１および第１可動部２ａの貫通溝１０は、第２位置決め片１５と第３位置決め片１６との間にあり、その両端は第２位置決め片１５および第３位置決め片１６にそれぞれ近接している。本体部１と第２可動部２ｂとの間の貫通溝１０は、第１位置決め片１４と第４位置決め片１７との間にあり、その両端は第１位置決め片１４と第４位置決め片１７にそれぞれ近接している。本体部１の貫通溝１０と、本体部１及び第２移動部２ｂの第１移動部２ａ及び貫通溝１０には、間隔をおいて多数の位置決め用フレーム９が設けられている。本体部１の貫通溝１０上の位置決め用フレーム体９の中心と第１の移動部２ａとは、第２の位置決め片１５の環状部品の外側面と基本的に同一平面上にあり、第３の位置決め片１６の環状部品１７ａを含む。本体部１の貫通溝１０上の位置決め用フレーム体９の中心と第２移動部２ｂとは、第１位置決め片１４の環状部品の外側面と基本的に同一平面上にあり、第４の位置決め片１７の環状の構成要素１７ａを含む。巻線３は位置決め用フレーム体９を貫通して、第２位置決め片１５と第３位置決め片１６との間、第１位置決め片１４と第４位置決め片１７との間で、巻線３の軌道が保証され、巻線３の移動時に対応する貫通溝１０と平行になる。中央走行プーリ７がスライドレール６上を摺動するとき、その頂部は多数の位置決め用フレーム体９の内部で動くことができ、中央走行プーリ７を移動させる。
【００３５】
本実施形態では、本体部１の貫通溝１０および第１可動部２ａには７個の位置決め用フレーム体９が設けられている。それらは様々なサイズを有する。２つは本体部１上にあり、貫通溝１０の内側のバッフルに接続されている。残りの５つの位置決め用フレーム体９は、第１移動部２ａ上に位置し、そのうち１つは本体部１が第１移動部２ａに近接する位置にあり、残りの４つの位置決め用フレーム体９の各々２つは、貫通溝１０の内側のバッフルに接続されている。同様に、本体部１の貫通溝１０および第２可動部２ｂには、７つの位置決め用フレーム体９が設けられている。それらは様々なサイズを有する。２つは本体部１上にあり、貫通溝１０の内側のバッフルに接続されている。残りの５つの位置決め用フレーム体９は、第２の移動部２ｂ上に位置し、そのうち１つは本体部１が第２の移動部２ｂに近接する位置にあり、残りの４つの位置決め用フレーム体９の各々２つは、貫通溝１０の内側のバッフルに接続されている。位置決め用フレーム体９は、Ｕ字状に形成されており、巻線３の通過と中央走行プーリ７上の移動を可能にする。
【００３６】
本実施形態では、本体部１には十字位置決め片３０がさらに設けられ、駆動装置４に近接し、駆動装置４と第１の位置決め片１４との間にあり、本体部１および第２の移動部２ｂのプーリ構造８に対応する。また、本体部１及び第２可動部２ｂの十字位置決め片３０の中心及びプーリ構造８の中心は、基本的に直線状であり、巻線３が駆動装置４に巻き付き易い。
【００３７】
巻線３は、駆動装置４、第２位置決め片１５、本体部１及び第１の可動部２ａの多数の位置決め用フレーム体９、第３位置決め片１６、本体部１及び第１の可動部２ａのプーリ構造８、第１位置決め片１４、本体部１及び第２移動部２ｂの位置決め用フレーム体９、第４位置決め片１７、本体部１及び第２移動部２ｂのプーリ構造８、十字位置決め片３０を一周して巻回する。これは巻線３の軌道である。
【００３８】
好ましくは、第３の位置決め片１６と、本体部１と第１の移動部２ａのプーリ構造８との間と、本体部１及び第２移動部２ｂの第４位置決め片１７とプーリ構造８との間に、位置決め用フレーム体９がそれぞれ設けられている。２つの位置決め用フレーム体９の中心は、第３位置決め片１６の環状部品１７ａの外側面及び第４位置決め片１７の環状部品１７ａの外側面と基本的に同一平面上にあり、第３の位置決め片１６と、本体部１と第１の可動部２ａのプーリ構造８との間の巻線３の軌跡と、第４の位置決め片１７と、本体部１と第２の可動部２ｂのプーリ構造８との間の巻線３の軌跡を確保し、対応する貫通溝１０にそれぞれ平行となる。
【００３９】
図３に示すように、本実施形態では、本体部１は、中間部１２と、中間部１２の両端に形成された側部１３ａ、１３ｂとを備えている。中間部１２と側端部１３ａ、１３ｂとの両端部は一体的に形成されていることが好ましい。駆動装置４は、中間部１２の中央に取り付けられている。第１可動部２ａと第２可動部２ｂとは、それぞれ対応する側部の外端に近接している。両側部１３ａ、１３ｂには、前述した対応する摺動溝２３が設けられている。前述の第１位置決め片１４および第２位置決め片１５は、中間部１２の左下および右下にそれぞれ設けられている。前述した第１位置決め片１４および第２位置決め片１５を中間部１２の左上および右上にそれぞれ設けてもよいことが理解されるであろう。
【００４０】
本発明の電気ハウジング装置は、布カーテンおよびプラスチックカーテンなどのカーテンを設置するために使用され、主に窓、天窓、ゲートウェイおよび廊下のような機会に適用され、隔離または遮蔽の役割を果たす。また、プロジェクションスクリーンや広告バナーなどの表示装置を設置するために使用することができ、静的または動的パターンを表示する役割を果たしているプレイルーム、展示室、パフォーマンスホールなどの機会に主に適用され得る。
【００４１】
本発明を使用してカーテンを設置する場合、まずカーテンの２つの端部を２つの中央走行プーリ７に取り付ける。あるいは、カーテンの２つの端部と対応するスライドレール６との間に複数のプーリを設けて、カーテンをより良好に開いたり閉じたりすることができる。カーテンを開ける必要がある場合には、モータがローラ５を時計方向に回転させ、ローラが巻線３を駆動して本体部１の左側に移動し、巻線３が２本の中央走行プーリ７を駆動する  お互いに離れて移動し、これにより、カーテンを引き、隔離や遮蔽の役割を果たす。カーテンを閉じる必要があるときは、モータがローラ５を反時計回りに回転させ、ローラが巻線３を駆動して本体部１の右側に移動し、巻線３は、２つの中央走行プーリ７を互いに向かって移動させ、カーテンを引き寄せる。また、スパンを大きくする必要がある場合には、第１の可動部２ａと第２の可動部２ｂとを本体部１の左右から外側に引き出して上記の工程を行う、すなわちカーテンを開いたり閉じたりすることができる  。
【００４２】
同様に、本発明を用いて表示装置を設置する場合には、まず２つの中央走行プーリ７に表示装置の両端を設置する。あるいは、表示装置の両端部と対応するスライドレール６との間に複数のプーリを設けて、表示装置をより良好に開いたり閉じたりすることができる。表示部を引き出す必要がある場合には、モータがローラ５を時計回りに回転させ、ローラが巻線３を駆動して本体部１の左側に移動し、巻線３が２本の中央走行プーリ７が互いに離れるように移動し、これにより静的または動的パターンを表示する役割を果たし、表示装置を開く。表示装置を閉じる必要がある場合には、モータがローラ５を反時計方向に回転させ、ローラが巻線３を駆動して本体部１の右側に移動し、巻線３が２本の中央走行プーリ  ７を互いに向かって移動させ、これにより表示装置を閉じる。また、スパンを大きくする必要がある場合には、第１の可動部２ａと第２の可動部２ｂとを本体部１の左右から外方に引き出して上記の工程を行う、すなわち表示装置を開いたり閉じたりすることができる。
【００４３】
前述の実施形態は、本発明の好ましい実施形態を示すに過ぎない。  それらの説明は、具体的かつ詳細であるが、本発明の特許の範囲に対する限定として理解されるものではない。当業者であれば、本発明の精神から逸脱することなく、実施形態の様々な特徴の組み合わせなど、様々な変更および修正を実施形態に加えることができることに留意されたい。これらはすべて本発明の保護範囲に属するものとする。
【図１】
2019505259.tif 000003
【図２】
2019505259.tif 000004
【図３】
2019505259.tif 000005
【国際調査報告】
2019505259.tif 000006
2019505259.tif 000007
2019505259.tif 000008
2019505259.tif 000009